【手続補正書】
【提出日】平成19年12月5日(2007.12.5)
【手続補正１】
【補正対象書類名】特許請求の範囲
【補正対象項目名】全文
【補正方法】変更
【補正の内容】
【特許請求の範囲】
【請求項１】
携帯セキュリティモジュールと解読要素とが、複数のチャンネルで編成されスクランブルをかけられた視聴覚情報のスクランブルを解くことを可能にする解読要素の使用のための携帯セキュリティモジュールを保護するために、
スクランブルをかけられた視聴覚情報のスクランブル解析を可能するために携帯セキュリティモジュールで受信されたライセンス制御メッセージ（ＥＣＭ）を携帯セキュリティモジュールで演算処理することを含む方法において、
ＥＣＭのシーケンスを携帯セキュリティモジュールで解析し、ＥＣＭのシーケンスが新しいＥＣＭと前回受信された前ＥＣＭとを含み、シーケンスのＥＣＭが異なった時間に受信され、解析が、新しいＥＣＭの受信と、新しいＥＣＭ及び前ＥＣＭが同じチャンネルに属するかどうかの判断とにより実行され（４０２）、
正しい場合には、エラーレジスタを解析することでインクリメントして（４０３）、
演算処理を低下させるために演算処理での不感時間を導入することによりエラーレジスタの値に依存している携帯セキュリティモジュールにペナルティを適用する（４０４）、
ことを含むことを特徴とする方法。
【請求項２】
不感時間がエラーレジスタ（４０４）の値に依存する継続時間を有する請求項１記載の方法。
【請求項３】
不感時間の継続時間が最高時間値より短く、最高時間値が単一の暗号化時間の間で携帯セキュリティモジュール（３１）が複数のＥＣＭを演算処理することを回避するために十分高いことを特徴とする請求項１又は２に記載の方法。
【請求項４】
ＥＣＭ（５４ｎ、５４ｎ＋１）それぞれは、決定チャンネルと関連付けられているチャンネル識別子（５１ｎ、５１ｎ＋１）を含み、
ＥＣＭのシーケンス解析は、新しいＥＣＭ５４ｎ＋１のチャンネル識別子５１ｎ＋１と前ＥＣＭ５４ｎのチャンネル識別子５１ｎとを比較することを含むことを特徴とする請求項請求項１乃至３の何れかに記載の方法。
【請求項５】
ＥＣＭ（５４ｎ、５４ｎ＋１）それぞれは第一暗号化制御言語（５２ｎ、５２ｎ＋１）と第二暗号化制御言語（５３ｎ、５３ｎ＋１）とを含み、
第一制御言語が、第一暗号化時間の間にスクランブルをかけられた視聴覚情報のスクランブルを解くことを可能にし、
第二制御言語が、第一暗号化時間とは異なる第二暗号化時間の間にスクランブルをかけられた視聴覚情報のスクランブルを解くことを可能にし、
ＥＣＭのシーケンス解析は、前ＥＣＭ５４ｎの第二制御言語５３ｎを新しいＥＣＭ５４ｎ＋１の第一制御言語５２ｎと比較することを含むことを特徴とする請求項請求項１乃至３の何れかに記載の方法。
【請求項６】
ＥＣＭのシーケンス解析は、ＥＣＭのシーケンスの第一ＥＣＭの決定内容をＥＣＭのシーケンスの第二ＥＣＭの第二決定内容と比較することを含むことを特徴とする請求項１乃至３の何れかに記載の方法。
【請求項７】
リセット不感時間は、リセット後に携帯セキュリティモジュールで受信された多くのＥＣＭに依存し、リセットに即座に続く第一演算処理で第一リセット時間値と等しい継続時間を有し、
第一リセット時間値が最大時間値より小さい、
ＥＣＭのそれぞれの演算処理でのリセット不感時間をリセット上で導入することを更に含むことを特徴とする請求項１乃至６の何れかに記載の方法。
【請求項８】
中間ＥＣＭの中間グループにより更なるリセットの種類を判断し、中間グループが更なるリセットに先行する前リセットの後に受信されたＥＣＭを更に含むことを特徴とする請求項１乃至７の何れかに記載の方法。
【請求項９】
中間ＥＣＭの数をカウントし（７２）、
比較結果が更なるリセットの種類を判断可能にするような、中間ＥＣＭの数とリセット限界数を比較し（７３）、
更なるリセットが間違って判断されれば、更なるリセットの後にリセットエラーレジスタをインクリメントし（７９）、
リセットエラーレジスタがリセットエラー閾値より高い値を有するならば、携帯セキュリティモジュールをブロックする（７１１）ことを更に含むことを特徴とする請求項８記載の方法。
【請求項１０】
携帯セキュリティモジュールと解読要素とが、複数のチャンネルで編成されスクランブルをかけられた視聴覚情報のスクランブルを解くことを可能にする解読要素の使用のための携帯セキュリティモジュール（３１）で、
ライセンス制御メッセージを受信するための受信手段（ＥＣＭ）と、
スクランブルをかけられた視聴覚情報のスクランブル解析を可能にするために携帯セキュリティモジュールで受信されたＥＣＭを演算処理するための演算処理手段（３２）とを含む携帯セキュリティモジュールにおいて、
前回受信した中へ前ＥＣＭ（ＥＣＭｎ）の与えられたチャンネルに関連する少なくとも識別子に命令メッセージメモリが格納されることとなり（３６）、
ＥＣＭのシーケンスを解析するためで、ＥＣＭのシーケンスが新しいＥＣＭ識別子と前ＥＣＭ識別子とを含み、シーケンスのＥＣＭが異なった時間に携帯セキュリティモジュールで受信され、そして解析が新しいＥＣＭ（ＥＣＭｎ＋１）のそれぞれの受信で実行されている解析手段（３５）と、
ＥＣＭシーケンスの新しいＥＣＭ識別子及び前ＥＣＭ識別子を比較するための比較手段と、
エラーレジスタ（３７）と、
双方の識別子が異なる場合に、比較結果に依存しているエラーレジスタをインクリメントするためのインクリメント手段と、
演算処理を低下させるためにそれぞれの演算処理で不感時間を導入するための遅延手段とを更に含むことを特徴とする携帯セキュリティモジュール。
【請求項１１】
遅延手段がリセットに続くそれぞれの演算処理でリセット不感時間を導入することをリセットの後にも可能とし、
リセット不感時間は、リセットに続く多くの演算処理に依存する継続時間を有し、継続時間がリセットに即座に続く第一演算処理で第一リセット時間値と等しいことを特徴とする請求項１０記載の携帯セキュリティモジュール（３１）。
【請求項１２】
カウンタレジスタが多くの中間ＥＣＭを格納することを可能し、中間ＥＣＭが前リセットの後に携帯セキュリティモジュールで受信され、
リセット限界数に対するカウンタレジスタの比較結果に依存する値を有するフラグと、
更なるリセットの後にフラグの値に依存してインクリメントされるリセットエラーレジスタと、
リセットエラーレジスタの値により携帯セキュリティモジュールをブロックするためのブロック手段とを更に含むことを特徴とする請求項１０又は１１記載の何れかに記載の携帯セキュリティモジュール（３１）。
【請求項１３】
ＥＣＭ識別子は、ＥＣＭから解読されたチャンネル識別子であることを特徴とする請求項１０乃至１２の何れかに記載の携帯セキュリティモジュール。
【請求項１４】
ＥＣＭ識別子は、ＥＣＭから解読された制御言語であることを特徴とする請求項１０乃至１２の何れかに記載の携帯セキュリティモジュール。
【請求項１５】
携帯セキュリティモジュールと共に使用するためのコンピュータプログラムであって、請求項１乃至９の何れかに記載の方法を導入するようなコンピュータプログラム。
【請求項１６】
請求項１乃至９何れかに記載の手段を導入することを可能にするソフトウェアをダウンロードしている携帯セキュリティモジュールを保護するための方法であって、ダウンロードが携帯セキュリティモジュールで少なくともひとつの構成メッセージを解読要素から受信することを含むことを特徴とする方法。
【手続補正２】
【補正対象書類名】明細書
【補正対象項目名】００２６
【補正方法】変更
【補正の内容】
【００２６】
第一の特徴として、本発明は、携帯セキュリティモジュールと解読要素とが、複数のチャンネルで編成されスクランブルをかけられた視聴覚情報のスクランブルを解くことを可能にする解読要素の使用のための携帯セキュリティモジュールを保護ための方法を提供する。該方法は、スクランブルをかけられた視聴覚情報のスクランブル解析を可能するために携帯セキュリティモジュールで受信されたライセンス制御メッセージ（ＥＣＭ）を携帯セキュリティモジュールで演算処理することを含む。該方法は、ＥＣＭのシーケンスを携帯セキュリティモジュールで解析し、ＥＣＭのシーケンスが新しいＥＣＭと前回受信された前ＥＣＭとを含み、シーケンスのＥＣＭが異なった時間に受信され、解析が、新しいＥＣＭの受信と、新しいＥＣＭ及び前ＥＣＭが同じチャンネルに属するかどうかの判断とにより実行される。エラーレジスタは、正しい場合には、解析することでインクリメントして、演算処理を低下させるために演算処理での不感時間を導入することによりエラーレジスタの値に依存している携帯セキュリティモジュールにペナルティを適用する。
【手続補正３】
【補正対象書類名】明細書
【補正対象項目名】００２７
【補正方法】削除
【補正の内容】
【手続補正４】
【補正対象書類名】明細書
【補正対象項目名】００３７
【補正方法】変更
【補正の内容】
【００３７】
第二の特徴として、本発明は、携帯セキュリティモジュールと解読要素とが、複数のチャンネルで編成されスクランブルをかけられた視聴覚情報のスクランブルを解くことを可能にする解読要素の使用のための携帯セキュリティモジュールを提供する。携帯セキュリティモジュールは、ライセンス制御メッセージ（ＥＣＭ）を受信するための受信手段と、スクランブルをかけられた視聴覚情報のスクランブル解析を可能にするために携帯セキュリティモジュールで受信されたＥＣＭを演算処理するための演算処理手段とを含む。該携帯セキュリティモジュールは、前回受信した中へ前ＥＣＭの与えられたチャンネルに関連する少なくとも識別子に命令メッセージメモリが格納されることとなり、ＥＣＭのシーケンスを解析するためで、ＥＣＭのシーケンスが新しいＥＣＭ識別子と前ＥＣＭ識別子とを含み、シーケンスのＥＣＭが異なった時間に携帯セキュリティモジュールで受信され、そして解析が新しいＥＣＭのそれぞれの受信で実行されている解析手段をさらに含む。該携帯セキュリティモジュールは、ＥＣＭシーケンスの新しいＥＣＭ識別子及び前ＥＣＭ識別子を比較するための比較手段と、エラーレジスタと、双方の識別子が異なる場合に、比較結果に依存しているエラーレジスタをインクリメントするためのインクリメント手段と、演算処理を低下させるためにそれぞれの演算処理で不感時間を導入するための遅延手段とを更に含む。
【手続補正５】
【補正対象書類名】明細書
【補正対象項目名】００４０
【補正方法】変更
【補正の内容】
【００４０】
好適な第十二実施形態において、ＥＣＭ識別子は、ＥＣＭから解読されたチャンネル識別子である。また、ＥＣＭ識別子は、ＥＣＭから解読された制御言語である。